(57)【特許請求の範囲】
【請求項１】
ガラス製機材を−２０〜−１０℃の温度環境下で輸送するために用いられる梱包箱であって、
底面部及び側壁部を有し、前記ガラス製機材を収容可能な箱本体と、
前記箱本体の開口部を塞ぐ蓋体と、
前記箱本体内に前記ガラス製機材とともに収容される蓄熱材と
を備え、
前記箱本体及び前記蓋体は、断熱材により構成されており、
前記断熱材は、フェノール樹脂発泡体により構成され、
前記蓄熱材は、融点が−１５〜２５℃の蓄熱物質を含む袋状であり、
前記ガラス製機材は、前記袋状の前記蓄熱材内に収容された状態で前記箱本体内に収容されることを特徴とする梱包箱。
【請求項２】
前記ガラス製機材は、２つの前記袋状の前記蓄熱材のうちの一方の前記蓄熱材内に一端部から収容されるとともに、他方の前記蓄熱材内に他端部から収容され、前記２つの袋状の蓄熱材の開口部を互いに重ね合わせた状態で前記箱本体内に収容されることを特徴とする請求項１に記載の梱包箱。
【請求項３】
前記箱本体及び前記蓋体の外側に配置される緩衝材をさらに備えることを特徴とする請求項１又は２に記載の梱包箱。
【請求項４】
前記緩衝材は、帯電防止剤を含有することを特徴とする請求項３に記載の梱包箱。
【請求項５】
前記ガラス製機材が、フォトマスク、ペリクル膜付フォトマスク、前記第１面に遮光膜が設けられてなるフォトマスクブランク又は前記第１面に遮光膜及びレジスト膜がその順に設けられてなるレジスト膜付フォトマスクブランクであることを特徴とする請求項１〜４のいずれかに記載の梱包箱。
【請求項６】
請求項１〜５のいずれかに記載の梱包箱の前記箱本体内に、前記袋状の前記蓄熱材内に収容した前記ガラス製機材を収容し、当該梱包箱を輸送することを特徴とするガラス製機材の輸送方法。
【発明の詳細な説明】
【技術分野】
【０００１】
本発明は、フォトマスク等のガラス製機材を輸送するために用いられる梱包箱及び当該ガラス製機材を輸送する方法に関する。
【背景技術】
【０００２】
半導体製造過程においてパターン形成等に用いられるフォトマスク等のガラス製機材は、フォトマスクメーカーから半導体メーカー等にまで長距離輸送されることがある。当該フォトマスク等を輸送する際、フォトマスクを樹脂製ケースに収納し、当該ケースと緩衝材とを輸送用箱に収納して輸送されるのが通常であるが、外気温の影響によりフォトマスクの表面温度が輸送過程で変化する。これにより、外気温が相対的に高い場合にはフォトマスクの膨張が起こってしまい、外気温が相対的に低い場合にはフォトマスクの収縮が起こったり、フォトマスク表面に結露が生じてしまったりする。
【０００３】
１個の半導体デバイスを作製するのに、通常、数十枚のフォトマスクが使用されるが、各フォトマスクの位置合わせ精度は数十ｎｍ程度に設定されている。そのため、輸送時の温度環境によりフォトマスクの膨張や収縮が起こると、フォトマスクの開口パターンの位置ずれが生じてしまうため、半導体メーカー等に納品された直後に当該フォトマスクを使用することができない。かかるフォトマスクを、半導体メーカーにおける使用環境温度に馴染ませて開口パターンの位置ずれを修正することで、所望とするパターン形成が可能となるが、そのためには、２〜２４時間程度の長時間を費やす必要がある。
【０００４】
また、フォトマスクの表面に異物が付着するのを防止するために、フォトマスクの表面にペリクル膜が設けられているものがある。外気温が相対的に低く、結露が生じてしまうことで、当該ペリクル膜にシワが生じてしまうことがある。さらに、結露によりフォトマスク表面やペリクル膜表面にシミが生じてしまうこともある。これらのペリクル膜のシワやシミにより、パターン形成不良が生じることもある。
【０００５】
そのため、フォトマスクが輸送される場合、特に長距離輸送される場合に、輸送中にフォトマスクの表面温度を所定の温度範囲内で維持させることを目的として、従来、輸送用箱内にフォトマスクと液相の保冷材とを共存させて収納し、当該フォトマスクを輸送する方法が提案されている（特許文献１参照）。
【先行技術文献】
【特許文献】
【０００６】
【特許文献１】特開２００４−１２７５４号公報
【発明の概要】
【発明が解決しようとする課題】
【０００７】
上記特許文献１に記載の方法において、液相の保冷材として、凝固温度が１０℃以上の物質、例えば、多価アルコール等を用いている。この輸送用箱を０℃の空気中に放置した際、輸送用箱内の温度は５時間ほどで１０℃程度となり、その温度を維持することができる。しかしながら、−１０〜−２０℃や、４０〜５０℃といった厳しい温度環境下で輸送されるような場合、輸送用箱内の温度を所定の温度（１０℃程度）で維持することは困難であるという問題がある。
【０００８】
上記課題に鑑みて、本発明は、フォトマスク等のガラス製機材の輸送環境温度の変化に伴うガラス製機材への熱伝導を遅らせることができ、長時間の輸送中であってもガラス製機材の表面温度を所望とする温度範囲で維持することのできる梱包箱及び当該ガラス製機材の輸送方法を提供することを目的とする。
【課題を解決するための手段】
【０００９】
上記課題を解決するために、本発明は、ガラス製機材を−２０〜−１０℃の温度環境下で輸送するために用いられる梱包箱であって、底面部及び側壁部を有し、前記ガラス製機材を収容可能な箱本体と、前記箱本体の開口部を塞ぐ蓋体と、前記箱本体内に前記ガラス製機材とともに収容される蓄熱材とを備え、前記箱本体及び前記蓋体は、断熱材により構成されており、前記断熱材は、フェノール樹脂発泡体により構成され、前記蓄熱材は、融点が−１５〜２５℃の蓄熱物質を含む袋状であり、前記ガラス製機材は、前記袋状の前記蓄熱材内に収容された状態で前記箱本体内に収容されることを特徴とする梱包箱を提供する（発明１）。
【００１０】
上記発明（発明１）によれば、断熱材により構成される箱本体内に、蓄熱材とともにガラス製機材を収容して梱包されるため、輸送環境温度の変化に伴うガラス製機材への熱伝導を遅らせることができ、長時間の輸送中であってもガラス製機材の表面温度を所望とする温度範囲で維持することができる。
【００１１】
上記発明（発明１）において、前記ガラス製機材は、２つの前記袋状の前記蓄熱材のうちの一方の前記蓄熱材内に一端部から収容されるとともに、他方の前記蓄熱材内に他端部から収容され、前記２つの袋状の蓄熱材の開口部を互いに重ね合わせた状態で前記箱本体内に収容されるのが好ましい（発明２）。
【００１２】
上記発明（発明１，２）において、前記箱本体及び前記蓋体の外側に配置される緩衝材をさらに備えるのが好ましく（発明３）、前記緩衝材は、帯電防止剤を含有するのが好ましい（発明４）。
【００１３】
上記発明（発明１〜４）において、前記ガラス製機材としては、フォトマスク、ペリクル膜付フォトマスク、前記第１面に遮光膜が設けられてなるフォトマスクブランク又は前記第１面に遮光膜及びレジスト膜がその順に設けられてなるレジスト膜付フォトマスクブランクが梱包され得る（発明５）。
【００１４】
また、本発明は、上記発明（発明１〜５）に係る梱包箱の前記箱本体内に、前記袋状の前記蓄熱材内に収容した前記ガラス製機材を収容し、当該梱包箱を輸送することを特徴とするガラス製機材の輸送方法を提供する（発明６）。
【発明の効果】
【００１５】
本発明によれば、フォトマスク等のガラス製機材の輸送環境温度の変化に伴うガラス製機材への熱伝導を遅らせることができ、長時間の輸送中であってもガラス製機材の表面温度を所望とする温度範囲で維持することのできる梱包箱及び当該ガラス製機材の輸送方法を提供することができる。
【図面の簡単な説明】
【００１６】
【図１】図１は、本発明の一実施形態に係る梱包箱の概略構成を示す斜視図である。
【図２】図２は、本発明の一実施形態に係る梱包箱の概略構成を示す分解斜視図である。
【図３】図３は、本発明の一実施形態に係る梱包箱の概略構成を示す断面図である。
【図４】図４は、本発明の一実施形態に係る梱包箱に梱包される対象物としてのフォトマスク（図４（Ａ））、フォトマスクブランクス（図４（Ｂ））、レジスト膜付きフォトマスクブランクス（図４（Ｃ））及びペリクル膜付きフォトマスク（図４（Ｄ））の概略構成を示す断面図である。
【図５】図５は、本発明の一実施形態における箱体の変形例を示す断面図である。
【図６】図６は、本発明の一実施形態におけるフォトマスクを収容するケースの概略構成を示す断面図である。
【図７】図７は、本発明の一実施形態における蓄熱材の変形例（その１）を示す斜視図である。
【図８】図８は、本発明の一実施形態における蓄熱材の変形例（その２）を示す斜視図である。
【図９】図９は、本発明の一実施形態に係る梱包箱に複数のフォトマスク及び蓄熱材を収容する態様を示す断面図である。
【図１０】図１０は、実施例１及び比較例１の試験結果を示すグラフである。
【発明を実施するための形態】
【００１７】
本発明の実施の形態について、図面を参照しつつ説明する。
図１は、本実施形態に係る梱包箱の概略構成を示す斜視図であり、図２は、本実施形態に係る梱包箱の概略構成を示す分解斜視図であり、図３は、本実施形態に係る梱包箱の概略構成を示す断面図である。
【００１８】
図１〜３に示すように、本実施形態に係る梱包箱１は、フォトマスク１１（図４（Ａ）参照）を輸送するために用いられるものであって、底面部２１ａ及び側壁部２１ｂを有する箱本体２１、並びに箱本体２１の開口部２１ｃを塞ぐ蓋体２２により構成される箱体２と、箱本体２１内にフォトマスク１１とともに収容される蓄熱材３とを備える。
【００１９】
なお、本実施形態に係る梱包箱１は、第１面１２１及び第１面１２１に対向する第２面１２２を有するガラス基材１２と、ガラス基材１２の第１面１２１に形成されている遮光膜パターン１３とを備えるフォトマスク１１（図４（Ａ）参照）を輸送するために用いられるものを例に挙げて説明するが、このような態様に限定されるものではない。本実施形態に係る梱包箱１に収容された輸送される対象物としては、例えば、第１面１２１及び第１面１２１に対向する第２面１２２を有するガラス基材１２と、ガラス基材１２の第１面１２１側に形成されている遮光膜１４とを備えるフォトマスクブランクス１１１、当該フォトマスクブランクス１１１の遮光膜１４上にレジスト膜１５が形成されてなるレジスト膜付フォトマスクブランクス１１２、ガラス基材１２の第１面１２１側にペリクル膜１６が設けられてなるペリクル付フォトマスク１１３等が挙げられる（図４（Ｂ）〜（Ｄ）参照）。
【００２０】
本実施形態に係る梱包箱１において、箱体２を構成する箱本体２１及び蓋体２２は、いずれも断熱性を有する材料、好適には熱伝導率が０．１０Ｗ／（ｍ・Ｋ）以下、より好適には０．０２Ｗ／（ｍ・Ｋ）以下の材料により構成され得る。このような断熱材料としては、例えば、フェノール樹脂発泡体、硬質ウレタン樹脂発泡体、ポリスチレン樹脂発泡体、発泡ポリエチレン、発泡炭酸カルシウム、発泡ガラス等が挙げられ、特に好ましくは、フェノール樹脂発泡体が挙げられる。フェノール樹脂発泡体により構成される断熱材料としては、例えば、ネオマフォーム（製品名，旭化成建材社製）等が挙げられる。
【００２１】
箱本体２１の底面部２１ａ及び側壁部２１ｂ、並びに蓋体２２の厚さは、箱本体２１の開口部２１ｃを蓋体２２で塞いだときに、梱包箱１の周囲の温度が変化したとしても箱体２内部の温度を所定の範囲内（例えば、所望とする温度（フォトマスクの使用環境温度）±５℃程度）で維持可能な厚さであればよく、箱本体２１及び蓋体２２を構成する断熱材料の種類に応じて適宜設定され得る。例えば、箱本体２１及び蓋体２２がフェノール樹脂発泡体（例えば、ネオマフォーム（製品名，旭化成建材社製）等）により構成される場合、箱本体２１の底面部２１ａ及び側壁部２１ｂ、並びに蓋体２２の厚さは、２０〜５０ｍｍ程度に設定され得る。
【００２２】
箱本体２１の大きさは、フォトマスク１１を収容したケース１０と、フォトマスク１１の第１面１２１側及び第２面１２２側のそれぞれに、ケース１０に当接するようにして配置される蓄熱材３とを収容可能な大きさである限り、特に限定されるものではない。本実施形態において、フォトマスク１１を収容したケース１０と、ケース１０に収容されたフォトマスク１１の第１面１２１側及び第２面１２２側のそれぞれに２個ずつ配置される蓄熱材３とが箱本体２１内に収容される。したがって、箱本体２１の内寸は、フォトマスク１１を収容するケース１０及び蓄熱材３の大きさ（厚さ）等に応じて適宜設定され得る。
【００２３】
本実施形態において、蓋体２２の形状は、箱本体２１の開口部２１ｃを塞ぐように重ね合わせることのできる大きさの板状体であるが、箱本体２１の開口部２１ｃを塞ぐことができ、望ましくは箱体２内の気密性を確保することができる限り、特に制限されるものではない。例えば、図５に示すように、箱本体２１の側壁部２１ｂの上部周縁に係合溝２１１を設けるとともに、当該係合溝２１１に係合可能な係合突起２２１を蓋体２２に設け、両者を係合させることにより箱本体２１の開口部２１ｃを蓋体２２により塞いでもよい。
フォトマスク１１を収容するケース１０としては、例えば、図６に示すように、上ケース１０１及び下ケース１０２を含み、フォトマスク１１を収容可能な空間を有するケース本体１００と、上ケース１０１及び下ケース１０２のそれぞれにケース本体１００の空間内に位置するように設けられ、フォトマスク１１を保持するための保持機構部１０３とを有するものが挙げられる。ケース本体１００内に収容されたフォトマスク１１の第１面１２１及び第２面１２２のそれぞれに、上ケース１０１及び下ケース１０２に設けられた保持機構部１０３を当接させることで、フォトマスク１１が保持される。
【００２４】
蓄熱材３は、融点（凝固点）が−１５〜７５℃、好ましくは−５〜３０℃の蓄熱物質が所定の容器（例えば、フィルム製の袋等）に封入されてなるものである。蓄熱物質の融点（凝固点）が上記範囲内であることで、当該融点（凝固点）よりも外気温が高い環境でフォトマスク１１が輸送される場合、蓄熱材３に外部から伝わる熱エネルギーは、固相状態の蓄熱物質が液相状態に相転移（相変化）するためのエネルギーとして消費される。また、当該融点（凝固点）よりも外気温が低い環境でフォトマスク１１が輸送される場合、液相状態の蓄熱物質が固相状態に相転移するために必要なエネルギーとして消費される。したがって、本実施形態によれば、梱包箱１内で蓄熱材３に挟まれるフォトマスク１１の表面温度を所定の範囲内に維持した状態で長時間の輸送が可能となる。その結果、長時間の輸送過程で周囲の温度が変化したとしても、ユーザに納品された直後のフォトマスク１１を使用することができる。なお、蓄熱物質の融点（凝固点）は、例えば、融点測定装置Ｍ−５６５（柴田化学社製）を用いる他、室温以下の領域においては目視観察を併用して測定され得る。
【００２５】
上記蓄熱物質としては、例えば、硫酸ナトリウム水和物等の無機水和塩に代表される無機蓄熱剤；ノルマルパラフィン、有機酸、アルコール、エチレングリコールに代表される有機蓄熱剤等が挙げられ、蓄熱材３としては、サーモメモリー（製品名，三菱製紙社製）等を用いるのが望ましい。
【００２６】
なお、蓄熱材３は、３０℃で２４時間程度の予備加熱をしてから梱包箱１内に収容されるのが好ましい。
【００２７】
本実施形態に係る梱包箱１は、箱本体２１及びその開口部２１ｃを塞ぐ蓋体２２により構成される箱体２を包む緩衝材４と、箱体２を包む緩衝材４を収納する段ボール製の外箱５とをさらに備える。箱体２（箱本体２１及び蓋体２２）が緩衝材４に包まれていることで、フォトマスク１１の輸送過程において梱包箱１の外部から衝撃が加わったとしても、その衝撃を緩衝材４が吸収し、フォトマスク１１の破損等を防止することができる。
【００２８】
緩衝材４を構成する材料としては、一般に緩衝材（衝撃吸収材）として用いられているものであればよく、例えば、ウレタン、発泡スチロール、気泡緩衝材等を挙げることができる。
【００２９】
本実施形態において、緩衝材４は、帯電防止剤を含むものであるのが好ましい。梱包箱１の外部からの静電気によりフォトマスク１１表面に帯電してしまうと、当該フォトマスク１１表面にゴミ等が付着することがあるが、緩衝材４が帯電防止剤を含むことで、フォトマスク１１表面への帯電を防止することができ、当該フォトマスク１１表面にゴミ等が付着するのを防止することができる。また、フォトマスク１１の遮光膜パターンに帯電することに起因した遮光膜パターンの欠損等が生じるのを防止することができる。かかる帯電防止剤としては、例えば、トリ−ｎ−ブチルメチルアンモニウム＝ビストリフルオロメタンスルホンイミド（製品名：ＦＣ−４４００，３Ｍ社製）等が挙げられる。
【００３０】
なお、梱包箱１の外部からの衝撃を吸収するという意味において、緩衝材４は、箱体２（箱本体２１及び蓋体２２）の全体を包むものである必要はなく、例えば、箱体２の８つの角部や当該角部から繋がる稜線のそれぞれに嵌め込まれる形状のものであってもよいし、箱体２の６つの面のそれぞれに当接させる板状のものであってもよい。しかしながら、帯電防止剤を含む緩衝材４を用いる場合、静電気からフォトマスク１１を保護するという意味において、緩衝材４は、箱体２の全体を包むものであるのが望ましい。すなわち、緩衝材４は、箱体２を収容可能な大きさを有する箱構造により構成されるのが望ましい。
【００３１】
緩衝材４が箱体２の全体を包むものである場合、箱構造の緩衝材４の内寸は、箱体２をほとんど遊びのない状態で内包可能な程度の大きさであるのが望ましい。そのため、箱構造の緩衝材４に箱体２を内包させるに当たり、箱体２を例えばビニール袋などに入れて緩衝材４に内包させるのが好ましい。箱体２と緩衝材４との間にビニールなどが介在することで、箱体２の出し入れが容易になる。
【００３２】
次に、上述した本実施形態に係る梱包箱１に、フォトマスク１１を梱包する手順について説明する。
【００３３】
まず、フォトマスク１１を収容したケース１０と、蓄熱材３とを、箱本体２１内に収容する。このとき、ケース１０に収容されたフォトマスク１１の第１面１２１側及び第２面１２２側のそれぞれに蓄熱材３が配置されるようにする。本実施形態においては、フォトマスク１１の第１面１２１側及び第２面１２２側のそれぞれに、２個の蓄熱材３が配置される。そして、箱本体２１の開口部２１ｃを蓋体２２により塞ぎ、箱本体２１と蓋体２２との間を塞ぐようにして粘着テープを貼り付けることで、箱体２が封止される。次に、封止された箱体２を、箱構造の緩衝材４内に収容し、最後に、段ボール製の外箱５内に収容する。
【００３４】
このようにしてフォトマスク１１が梱包された梱包箱１は、フォトマスクメーカーから半導体メーカーへと輸送される。この輸送に長時間がかかったり、−１０〜−２０℃の極寒の地域や、４０〜５０℃の猛暑の地域を輸送されたりする場合など、輸送環境の温度がフォトマスク１１の使用環境の温度と乖離する場合であっても、本実施形態に係る梱包箱１においては、フォトマスク１１が収容されている箱体２（箱本体２１及び蓋体２２）内の温度が所望とする範囲（フォトマスク１１の使用環境の温度±５℃程度）に維持される。よって、本実施形態に係る梱包箱１及びそれを用いたフォトマスク１１の輸送方法によれば、フォトマスク１１の表面温度を所望とする温度に維持することができるため、フォトマスク１１を使用するユーザが受け取った直後に当該フォトマスク１１を使用することができる。また、輸送中のフォトマスク１１の表面温度が所望とする範囲に維持されることで、フォトマスク１１の表面などに結露が生じることがないため、それによるパターン形成不良等が生じるのを防止することができる。
【００３５】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００３６】
上記実施形態においては、ケース１０に収容したフォトマスク１１の第１面１２１側及び第２面１２２側のそれぞれに、２個の蓄熱材３を配置するようにして箱本体２１内にそれらを収容しているが、本発明はこのような態様に限定されるものではない。例えば、図７に示すように、袋状の蓄熱材３内にフォトマスク１１を収容したケース１０を収納し、当該蓄熱材３を箱本体２１内に収容してもよい。また、図８に示すように、２つの袋状の蓄熱材３，３を準備し、一方の蓄熱材３内にフォトマスク１１を収容したケース１０の一端部から収容し、他方の蓄熱材３内に当該ケース１０の他端部から収容し、各蓄熱材３，３の開口部近傍を互いに重ね合わせるようにして、それらを箱本体２１内に収容してもよい。
【００３７】
上記実施形態においては、１枚のフォトマスク１１が箱本体２１内に収容されているが、本発明はこのような態様に限定されるものではなく、例えば、複数枚のフォトマスク１１が箱本体２１内に収容されてもよい。この場合において、図９に示すように、複数枚のフォトマスク１１のそれぞれにおいて、第１面１２１側及び第２面１２２側に蓄熱材３を配置するようにしてもよいし（図９（Ａ）参照）、フォトマスク１１と蓄熱材３とを交互に重ね合わせるようにしてそれらを箱本体２１内に収容してもよい（図９（Ｂ）参照）。
【実施例】
【００３８】
以下、実施例等を挙げて本発明をさらに詳細に説明するが、本発明は下記の実施例等に何ら限定されるものではない。
【００３９】
〔実施例１〕
図１〜３に示す構成を有し、フォトマスク１１を収容したケース１０を梱包した梱包箱１を準備し、当該梱包箱１を室温０℃、−１０℃及び−２０℃の室内に２４時間放置し、梱包箱１に収容したケース１０内の温度を経時的に測定した。ケース１０内の温度は、テストー社製の環境測定機（温湿度ロガー）を用いて測定された。結果を図１０に示す。
なお、箱体２（箱本体２１及び蓋体２２）としては、ネオマフォーム（製品名，旭化成建材社製，厚さ：３０ｍｍ）を使用し、蓄熱材３としては、蓄熱物質としてのサーモメモリーＦＳ−２５（製品名，三菱製紙社製，融点：２５℃）をポリエチレン製の袋に封入したものを使用し、緩衝材４としては、帯電防止ウレタン材（製品名：ＥＡＳ−１，ウエノシステック社製）を使用した。蓄熱材３は、蓄熱物質としてのサーモメモリーＦＳ−２５を、低温恒温器（ヤマト科学社製，ＩＮ６０２）を用い、３０℃で２４時間予備加熱をしてから梱包箱１内に収容した。
【００４０】
〔比較例１〕
実施例１の梱包箱１から箱体２及び蓄熱材３を除き、箱構造の緩衝材４内にケース１０を収納した以外は、実施例１と同様の構成を有する梱包箱を準備し、ケース１０内の温度を経時的に測定した。結果を図１０にあわせて示す。
【００４１】
図１０に示す結果から明らかなように、実施例１の梱包箱１においては、ケース１０内の温度を２４時間後においても所望とする範囲に維持することができることが確認された。この結果から、実施例１の梱包箱１においては、長時間の輸送中であってもフォトマスクの表面温度を所望とする温度範囲で維持することができると推認された。
【００４２】
一方、比較例１の梱包箱においては、ケース１０内の温度が、３〜１２時間ほどで低下してしまうことが確認された。この結果から、比較例１の梱包箱においては、長時間の輸送中にフォトマスクの収縮が起こったり、フォトマスク表面に結露が生じたりするおそれがあると推認された。
【符号の説明】
【００４３】
１…梱包箱
２…箱体
２１…箱本体
２１ａ…底面部
２１ｂ…側壁部
２１ｃ…開口部
２２…蓋体
３…蓄熱材
４…緩衝材
１１…フォトマスク（ガラス製機材）
【図１】
0006676908.tif 000002
【図２】
0006676908.tif 000003
【図３】
0006676908.tif 000004
【図４】
0006676908.tif 000005
【図５】
0006676908.tif 000006
【図６】
0006676908.tif 000007
【図７】
0006676908.tif 000008
【図８】
0006676908.tif 000009
【図９】
0006676908.tif 000010
【図１０】
0006676908.tif 000011